(57)【特許請求の範囲】
【請求項１】
上面が開口し、前後方向に長い矩形箱状の基体と、
前記基体の上面に設けられ、前後方向に長い矩形板状であって、上面にマットレスが載置される床板と、
前記基体と前記床板とに連結して設けられ、前記床板の後端部の高さを前記基体の上面の位置から所定の高さの位置まで変更可能にするリンク機構部材と、
前記床板の下方に設けられ、前記床板を上方向に押している付勢部材と、を備え、
前記床板は、矩形板状の複数枚の分割床板が前記床板の前後方向に並べられることにより形成され、
前記リンク機構部材は、
前記基体に固定されている基体側リンク部材と、
前記床板の前後方向に並べられている前記複数枚の分割床板にわたって延びており、当該分割床板のそれぞれが固定されている床板側リンク部材と、
一端部が前記基体側リンク部材に回転可能に設けられ、他端部が前記床板側リンク部材に回転可能に設けられている連結用リンク部材と、を有し、
前記付勢部材は、長手方向に伸縮可能な構成であって、一端部が前記基体に設けられ、他端部が前記床板側リンク部材に設けられていることを特徴とするベッド装置。
【請求項２】
前記分割床板の外周の側面のうち前記床板の前後方向に隣り合う他の前記分割床板と接する側面に形成されている位置決め穴と、
前記位置決め穴に嵌合し、前記床板の前後方向に隣り合う前記分割床板同士の連結位置を決める位置決め部材と、
を備えていることを特徴とする請求項１記載のベッド装置。
【請求項３】
前記分割床板のそれぞれは、前記床板の前後方向に沿うとともに所定の間隔離れて配置されているねじによって前記床板側リンク部材に固定されていることを特徴とする請求項１または２記載のベッド装置。
【発明の詳細な説明】
【技術分野】
【０００１】
本発明は、床板を備えるベッド装置に関する。
【背景技術】
【０００２】
マットレスの下方に収納室を備えるベッド装置がある。この収納室は、例えば、上面が開口している箱状の基体と、基体の上面に設けられマットレスが載置される床板とから構成されている。この種のベッド装置は、床板がリンク機構部材によって基体に対して回転可能に設けられている。そして、例えば床板の後端部を持ち上げることによって収納室を開いた状態にすることができ、当該収納室に物を収納することができる構成となっている。
また、この種のベッド装置においては、床板の持ち上げを容易にするために、例えば、床板の下面に当該床板を上方向に押すガススプリングなどの付勢部材を設けることが提案されている。
【先行技術文献】
【特許文献】
【０００３】
【特許文献１】特開２００２−２０４７３４号公報
【発明の概要】
【発明が解決しようとする課題】
【０００４】
収納室の床板が一枚の板から形成されていると、ベッド装置の組立て時などにおいて床板の運搬がしにくく、また床板をリンク機構部材に取付ける作業もしにくくなる。したがって、床板を複数に分割した複数枚の分割床板によって当該床板を形成することが考えられる。しかしながら、そのような構成では、分割床板同士の連結部分の強度が不十分になりやすく、付勢部材による床板の持ち上げができなくなることが考えられる。また、分割床板同士を強固に固定するために新たに連結用の連結部品を用いる構成では、この連結部品を取付けるために分割床板の構造が複雑になるとともに、部品点数が増加する問題が考えられる。
【０００５】
本発明は、上記の事情に鑑みてなされたものであり、その目的は、複数枚の分割床板から形成されて当該分割床板同士が簡単な構成で強固に固定されている床板を備えるベッド装置を提供することにある。
【課題を解決するための手段】
【０００６】
本発明のベッド装置は、上面が開口し前後方向に長い矩形箱状の基体と、前記基体の上面に設けられ前後方向に長い矩形板状であって上面にマットレスが載置される床板と、前記基体と前記床板とに連結して設けられ前記床板の後端部の高さを前記基体の上面の位置から所定の高さの位置まで変更可能にするリンク機構部材と、前記床板の下方に設けられ前記床板を上方向に押している付勢部材と、を備えている。そして、前記床板は、矩形板状の複数枚の分割床板が前記床板の前後方向に並べられることにより形成されている。また、前記リンク機構部材は、前記基体に固定されている基体側リンク部材と、前記床板の前後方向に並べられている前記複数枚の分割床板にわたって延びており当該分割床板のそれぞれが固定されている床板側リンク部材と、一端部が前記基体側リンク部材に回転可能に設けられ他端部が前記床板側リンク部材に回転可能に設けられている連結用リンク部材と、を有している。前記付勢部材は、長手方向に伸縮可能な構成であって、一端部が前記基体に設けられ、他端部が前記床板側リンク部材に設けられている。
【発明の効果】
【０００７】
本発明のベッド装置によれば、床板が複数枚の分割床板から形成されているため、床板の運搬やリンク機構部材への取り付ける作業が容易となる。そして、リンク機構部材の床板側リンク部材が床板の前後方向に並べられている複数枚の分割床板にわたって延びており、且つ、複数枚の分割床板のそれぞれが床板側リンク部材に固定されているので、複数枚の分割床板同士は、床板側リンク部材を介して強固に固定された構成となる。よって、新たに連結用の連結部品を用いずに、前部分割床板および後部分割床板同士を簡単な構成で強固に固定することができる。
【図面の簡単な説明】
【０００８】
【図１】本発明の一実施形態を示すベッド装置の斜視図
【図２】使用状態を示すベッド装置とマットレスの斜視図
【図３】ベッド装置の主要な構成の分解斜視図
【図４】仕切り部材を取除いた図であって、リンク機構部材が折り畳まれている状態を概略的に示す縦断側面図
【図５】仕切り部材を取除いた図であって、リンク機構部材が展開している状態を概略的に示す縦断側面図
【図６】リンク機構部材に床板を取付ける手順を示す斜視図
【発明を実施するための形態】
【０００９】
本発明の一実施形態のベッド装置を、図面を参照して説明する。なお、図面中に、必要に応じて、前後、左右、上下方向を示す。この実施形態では、便宜上、ベッド装置を使用する際に使用者の頭部が位置する側すなわちヘッドボード側を前側とし、マットレス側を上側として説明する。
【００１０】
図２に示すベッド装置１１は、上面にマットレス１２が載置されるものであり、収納室１３を備えている。ベッド装置１１は、左右方向の中心を基準として左右対称に形成されている。収納室１３は、マットレス１２の下方に位置しており、基体１４および床板１５から構成され、内部に物を収納することができる空間を有している。
基体１４は、例えば木製であり、上面が開口し、前後方向に長い矩形箱状に形成されている。基体１４は、図１および図３に示すように、ヘッドボード１６と、フットボード１７と、サイドボード１８と、底板１９と、リンク機構部材２０と、ガスシリンダ２１とを有している。
【００１１】
ヘッドボード１６は、基体１４を構成する側面のうち前側に位置している側壁である。ヘッドボード１６は、左右方向に長い矩形板状に形成されている。フットボード１７は、基体１４を構成する側面のうち後ろ側に位置している側壁である。フットボード１７は、左右方向に長い矩形板状に形成され、ヘッドボード１６に対して平行に配置されている。フットボード１７の高さ寸法すなわち上下方向の寸法は、ヘッドボード１６の高さ寸法よりも小さく設定されている。
【００１２】
サイドボード１８は、基体１４を構成する側壁のうち左右両側に位置している側壁である。サイドボード１８は、基体１４の左側の側壁を構成するレフトボード１８１と、基体１４の右側の側壁を構成するライトボード１８２とから構成されている。レフトボード１８１は、前後方向に長い矩形板状に形成され、高さ寸法がフットボード１７の高さ寸法と同じに設定されている。レフトボード１８１は、前端部がヘッドボード１６の左端部の下部に図示しないねじなどによって固定され、後端部がフットボード１７の左端部に図示しないねじなどによって固定されている。ライトボード１８２は、前後方向に長い矩形板状に形成され、高さ寸法がフットボード１７の高さ寸法と同じに設定されている。ライトボード１８２は、前端部がヘッドボード１６の右端部の下部に図示しないねじなどによって固定され、後端部がフットボード１７の右端部に図示しないねじなどによって固定されている。ライトボード１８２は、レフトボード１８１に対して平行に配置されている。
上述のヘッドボード１６、フットボード１７、サイドボード１８のレフトボード１８１およびライトボード１８２によって、上面から見て矩形の枠が形成された構成となっている。
【００１３】
底板１９は、基体１４の床面を形成するものであり、左右連結底板１９１と、前部底板１９２と、後部底板１９３とから構成されている。左右連結底板１９１は、図３に示すように、角柱状に形成されている。左右連結底板１９１の長手方向の一端部である左端部は、レフトボード１８１の前後方向の中央部の下端部に、図示しないねじなどによって固定されている。また、左右連結底板１９１の長手方向の他端部である右端部は、ライトボード１８２の前後方向の中央部の下端部に、図示しないねじなどによって固定されている。
【００１４】
前部底板１９２は、上面から見て、ヘッドボード１６と、レフトボード１８１と、ライトボード１８２と、左右連結底板１９１とによって囲われる矩形状の領域と同じ大きさの矩形状の板状に形成されている。そして、前部底板１９２は、この矩形状の領域内に配置されている。前部底板１９２の板厚は、左右連結底板１９１の板厚と同じである。
後部底板１９３は、前部底板１９２と同形状の矩形板状に形成され、この実施形態では、上面から見て、フットボード１７と、レフトボード１８１と、ライトボード１８２と、左右連結底板１９１とによって囲われる矩形状の領域と同じ大きさの矩形状の板状に形成されている。そして、後部底板１９３は、この矩形状の領域に配置されている。後部底板１９３の板厚も、左右連結底板１９１の板厚と同じである。これにより、左右連結底板１９１の上面、前部底板１９２の上面および後部底板１９３の上面は、同一平面となる。すなわち、底板１９の上面は、平坦に形成された構成となる。
【００１５】
床板１５は、図２に示すように、上面に上述したマットレス１２が載置されるものであり、例えば木製の板であり、基体１４の底板１９とほぼ同じ形状であって前後方向に長い矩形板状に形成されている。床板１５は、図１、図３〜図５にも示すように、基体１４の上面、具体的にはフットボード１７の上面、サイドボード１８の上面および底板１９の上方に設けられている。ここで、床板１５は、矩形板状の複数枚、この実施形態では２枚の分割床板１５１，１５２から形成されている。分割床板１５１，１５２は、床板１５の前後方向の寸法の中心を切断面として当該床板１５を前後に２枚に分割した形状である。そして、床板１５は、２枚の分割床板１５１，１５２を当該床板１５の前後方向に並べられることにより形成されている。以下、２枚の分割床板１５１，１５２のうち、ヘッドボード１６側に位置する分割床板を前部分割床板１５１と称し、フットボード１７側に位置する分割床板を後部分割床板１５２と称して説明する。
【００１６】
前部分割床板１５１の外周の側面のうち床板１５の前後方向に隣り合う他の分割床板と接する側面すなわち前部分割床板１５１の後端面には、図３〜図５、図６（ａ）、図６（ｂ）に示すように、円筒状の位置決め穴２２、いわゆるダボ穴が形成されている。前部分割床板１５１の位置決め穴２２は、前部分割床板１５１の後端面の左右方向に沿って等間隔に複数箇所、この実施形態では４箇所形成されている。前部分割床板１５１の位置決め穴２２は、前後方向に延びた形状である。
【００１７】
後部分割床板１５２の外周の側面のうち床板１５の前後方向に隣り合う他の分割床板と接する側面すなわち後部分割床板１５２の前端面にも、図４、図５に示すように、前部分割床板１５１の位置決め穴２２と同形状の円筒状の位置決め穴２３、いわゆるダボ穴が４箇所形成されている。この実施形態では、前部分割床板１５１と後部分割床板１５２とが所定の位置に並べられて床板１５が形成されたときに、前部分割床板１５１の位置決め穴２２の断面と後部分割床板１５２の位置決め穴２３の断面とが一致する構成である。そして、前部分割床板１５１の位置決め穴２２と後部分割床板１５２の位置決め穴２３とが所定の位置で合わさることにより、円柱状の空間が形成される構成である。
【００１８】
前部分割床板１５１の位置決め穴２２と後部分割床板１５２の位置決め穴２３とによって形成される円柱状の空間、この実施形態では４箇所の円柱状の空間のそれぞれには、図４、図５、図６（ｂ）、図６（ｃ）に示すように、円柱状の位置決め部材２４、いわゆるダボ栓がそれぞれ設けられている。位置決め部材２４は、床板１５の前後方向に隣り合う２枚の分割床板１５１，１５２同士、すなわち前部分割床板１５１と後部分割床板１５２との連結位置を決めるものである。具体的には、位置決め部材２４は、軸方向に延びる方向において前部が前部分割床板１５１の位置決め穴２２に嵌合し、軸方向に延びる方向において後部が後部分割床板１５２の位置決め穴２３に嵌合する構成である。そして、前部分割床板１５１の位置決め穴２２のそれぞれに、位置決め部材２４の前部を嵌合させた後に、前部分割床板１５１の後端面から後方に突出している位置決め部材２４の後部に後部分割床板１５２の位置決め穴２３を嵌合させることにより、後部分割床板１５２が前部分割床板１５１を基準として所定の位置に設けられるようになる。
【００１９】
リンク機構部材２０は、図１、図３〜図５に示すように、基体１４のサイドボード１８と、床板１５とに連結して設けられている。リンク機構部材２０は、図４に示すように床板１５の後端部の高さを基体１４の上面の位置から、図５に示すように所定の高さの位置まで変更可能にするものである。言い換えると、リンク機構部材２０は、床板１５の後端部を、図４に示すように基体１４の上面の高さ位置から、図５に示すように床板１５の前端部よりも所定の高さ分高い位置まで変更可能にするものである。床板１５の後端部が当該床板１５の前端部よりも所定の高さ分高い位置にあることにより、図１に示すように、収納室１３の後端部側が十分に開いた状態となり、物を収納室１３に収納することができるようになる。すなわち、床板１５は、マットレス１２を載置する載置台として機能するとともに、収納室１３の蓋としても機能するものである。
【００２０】
リンク機構部材２０は、図１、図３に示すように、ベッド装置１１に１対設けられ、基体１４の左右両側にそれぞれ設けられている。以下、基体１４の左側であるレフトボード１８１側に設けられるリンク機構部材２０について、図１、図３〜図５を参照して説明する。なお、基体１４の右側に設けられるリンク機構部材２０は、基体１４の左右方向の中心を基準として、基体１４の左側に設けられるリンク機構部材２０と左右対称の形状である。
リンク機構部材２０は、例えばスチール製であり、図１、図３〜図５に示すように、基体側リンク部材２５と、床板側リンク部材２６と、連結用リンク部材２７とを有している。
【００２１】
基体側リンク部材２５は、棒状に形成されている。基体側リンク部材２５の長手方向の寸法は、前部底板１９２の前後方向の寸法の約半分に設定されている。基体側リンク部材２５は、レフトボード１８１の側面のうちライトボード１８２に向いている側面である右側面の前部の上部において当該レフトボード１８１の前後方向に沿う方向で配置され、図示しないねじによって固定されている。
【００２２】
床板側リンク部材２６は、図１に示すように、棒状をなし、長手方向に直交する断面が上下逆のＬ字状に形成されている。床板側リンク部材２６は、床板１５の下面の左端部に位置して当該床板１５の前後方向に延びて設けられている。具体的には、床板側リンク部材２６の上下逆のＬ字状の形状において、一の辺部２６１は床板１５の底面に固定され、また、残りの一の辺部２６２が床板１５の左端部側に位置して下方に突出している。なお、基体１４の右側に位置するリンク機構部材２０の床板側リンク部材２６も上下逆のＬ字状をなし、上下逆のＬ字状の一の辺部２６１は床板１５の底面に固定され、また、残りの一の辺部２６２が床板１５の右端部側に位置して下方に突出している。
【００２３】
ここで、床板側リンク部材２６は、図１、図４、図５に示すように、床板１５の前後方向に並べられている複数枚、この場合２枚の分割床板１５１，１５２の両方の下面にわたって延びている。すなわち、床板側リンク部材２６は、前部分割床板１５１の下面であって当該前部分割床板１５１の前端部から後端部まで延びているとともに、さらに、後部分割床板１５２の下面であって当該後部分割床板１５２の前後方向の長さの３分の１以上、好ましくは後部分割床板１５２の前後方向の中央付近まで延びている。この構成により、床板１５を構成する前部分割床板１５１および後部分割床板１５２は、リンク機構部材２０の床板側リンク部材２６に保持された構成となっている。
【００２４】
床板側リンク部材２６の辺部２６１の前端部には、図３〜図５に示すように、上方に突出するストッパ部２８が形成されている。ストッパ部２８の後面には、床板１５の前端面、すなわち前部分割床板１５１の前端面が当たる構成となっている。
前部分割床板１５１および後部分割床板１５２のそれぞれは、図４、図５、図６（ｃ）、図６（ｄ）に示すように、ねじ２９によって床板側リンク部材２６の辺部２６１に固定されている。ねじ２９は、床板１５の前後方向に沿うとともに所定の間隔、例えば等間隔離れて配置されている。ここで、図１〜図３においては、便宜上、ねじ２９およびねじ孔の図示を省略し、図６においては、ねじ孔の図示を省略している。
【００２５】
この実施形態では、図４、図５に示すように、ねじ２９の頭部が床板側リンク部材２６の下側に位置し、ねじ２９の軸部が床板側リンク部材２６の辺部２６１の図示しないねじ孔を貫通して分割床板１５１，１５２に螺合している。しかし、図示はしないが、例えば、ねじ２９の頭部が分割床板１５１，１５２の上面側に位置し、ねじ２９の軸部が分割床板１５１，１５２および床板側リンク部材２６の辺部２６１を貫通し、床板側リンク部材２６の辺部２６１の下方においてナットと螺合する構成としてもよい。
【００２６】
連結用リンク部材２７は、図１、図３〜図５に示すように、前部連結用リンク部材２７１と、後部連結用リンク部材２７２とを有している。
前部連結用リンク部材２７１は、棒状に形成され、長手方向の寸法が、基体側リンク部材２５の長手方向の寸法よりも短く設定されている。前部連結用リンク部材２７１は、長手方向の一端部である下端部が基体側リンク部材２５の前端部に回転可能に設けられ、長手方向の他端部である上端部が床板側リンク部材２６の辺部２６２のうち前端部に回転可能に設けられている。この構成によれば、基体側リンク部材２５がレフトボード１８１の側面に固定されているので、前部連結用リンク部材２７１は、下端部を中心に前後方向に所定角度、回転するようになる。前部連結用リンク部材２７１の回転の範囲は、前部連結用リンク部材２７１の下端部を回転の中心として、図４に示すように基体側リンク部材２５の延びている方向とほぼ同一の直線上の位置から、図５に示すように前部連結用リンク部材２７１がほぼ上下方向に延びる方向であって前部連結用リンク部材２７１の上端部が当該前部連結用リンク部材２７１の下端部の上方のやや後方に位置するまでである。具体的には、前部連結用リンク部材２７１の回転の範囲は、前部連結用リンク部材２７１の下端部を中心にして基体側リンク部材２５の前方に延びている方向から上方向の約９０°までである。
【００２７】
後部連結用リンク部材２７２は、棒状に形成され、長手方向の寸法が、前部連結用リンク部材２７１の長手方向の寸法よりも長く設定されている。後部連結用リンク部材２７２は、長手方向の一端部である下端部が基体側リンク部材２５の後端部に回転可能に設けられ、長手方向の他端部である上端部が床板側リンク部材２６の辺部２６２のうち前部連結用リンク部材２７１の上端部の後方に回転可能に設けられている。この構成によれば、基体側リンク部材２５がレフトボード１８１の側面に固定されているので、後部連結用リンク部材２７２は、下端部を中心に前後方向に所定角度、回転するようになる。後部連結用リンク部材２７２の回転の範囲は、後部連結用リンク部材２７２の下端部を回転の中心として、図４に示すように基体側リンク部材２５の延びている方向とほぼ同一の直線上の位置から、図５に示すように前部連結用リンク部材２７１の上端部が当該前部連結用リンク部材２７１の下端部の上方のやや後方に位置した場合における当該前部連結用リンク部材２７１の上端部よりも所定の高さ上側の位置までである。具体的には、後部連結用リンク部材２７２の回転の範囲は、後部連結用リンク部材２７２の下端部を中心にして基体側リンク部材２５の前方に延びている方向から前方上方の約６０°までである。
【００２８】
次に、リンク機構部材２０が図５の状態から図４の状態になる動作、すなわち基体側リンク部材２５から離れて位置している床板側リンク部材２６が当該基体側リンク部材２５に接近する場合の当該リンク機構部材２０の動作を説明する。床板側リンク部材２６が基体側リンク部材２５に接近する方向に移動する場合、前部連結用リンク部材２７１および後部連結用リンク部材２７２のそれぞれは、下端部を中心にして所定の範囲前方にそれぞれ回転し、当該前部連結用リンク部材２７１および後部連結用リンク部材２７２は基体側リンク部材２５に接近する。これにより、前部連結用リンク部材２７１および後部連結用リンク部材２７２は、基体側リンク部材２５の延びている方向とほぼ同一の直線上に位置する。さらに、床板側リンク部材２６の延びている方向は、基体側リンク部材２５の延びている方向すなわち基体１４の上面と平行になって、床板１５が基体１４の上面に位置する。この構成により、基体１４の上面の開口が床板１５によって塞がれた状態となる。以下、この基体１４の上面の開口が床板１５で塞がれているときのリンク機構部材２０の状態を、リンク機構部材２０が折り畳まれている状態と称して説明する。
【００２９】
次に、リンク機構部材２０が図４の状態から図５の状態になる動作、すなわち床板側リンク部材２６が基体側リンク部材２５から離れるように移動する場合、言い換えると、リンク機構部材２０が折り畳まれている状態から床板側リンク部材２６の後端部が持ち上げられる場合の当該リンク機構部材２０の動作を説明する。床板側リンク部材２６の後端部が持ち上げられる場合、前部連結用リンク部材２７１および後部連結用リンク部材２７２のそれぞれは、下端部を中心にして所定の範囲後方に回転する。そして、前部連結用リンク部材２７１の上端部が当該前部連結用リンク部材２７１の下端部の上方のやや後方に位置するときに、後部連結用リンク部材２７２の上端部は前部連結用リンク部材２７１の上端部よりも所定の高さ上側に位置する。この場合、床板側リンク部材２６の後端部は、基体側リンク部材２５の延びている方向の直線上すなわち基体１４の上面の位置から所定の高さ上側に位置する。すなわち、床板側リンク部材２６は、後端部が前端部よりも所定の高さ上側に位置した後ろ上がりの状態となる。そして、床板１５の後端部の高さの位置が基体１４の上面の位置から所定の高さの位置となると、収納室１３が十分に開いた状態となり、収納室１３への物の収納が可能な状態となる。
【００３０】
この実施形態での収納室１３が開いているときの床板側リンク部材２６の傾きは、床板側リンク部材２６の前端部を中心にして基体側リンク部材２５の延びている方向すなわち基体１４の上面から上方向で約４５°である。言い換えると、リンク機構部材２０の連結用リンク部材２７が回転・移動することにより、床板側リンク部材２６に固定されている床板１５は、床板１５の前端部を中心にして上述の約４５°の範囲で上下方向に回転・移動する。そして、リンク機構部材２０の回転の所定の最大の範囲で床板１５の後端部が持ち上げられることにより、床板１５の後端部は基体１４の上面の位置から所定の高さに達し、収納室１３が十分に開いた状態となる。以下、収納室１３が十分に開いているときのリンク機構部材２０の状態を、リンク機構部材２０が展開されている状態と称して説明する。
【００３１】
ガスシリンダ２１は、図１、図４、図５に示すように、床板１５の下方に設けられ、床板１５を上方向に押している付勢部材であり、例えば円柱状で長手方向に伸縮可能な構成のものである。ガスシリンダ２１は、例えば窒素などのガスが封入されたシリンダ２１１と、シリンダ２１１から突出可能に設けられているピストンロッド２１２とを有している。ピストンロッド２１２には、シリンダ２１１内に封入されているガスによって当該シリンダ２１１から突出する方向に力が作用している。この実施形態のガスシリンダ２１は、シリンダ２１１がピストンロッド２１２の上側に位置している。
【００３２】
ガスシリンダ２１の一端部であるピストンロッド２１２側の先端部は、レフトボード１８１において基体側リンク部材２５の後方であって下端部付近に取付け金具３０を介して回転可能に設けられている。取付け金具３０は、図４、図５に示すように、ねじ３１によってレフトボード１８１に固定され、図示しないがライトボード１８２にも同様に固定されている。以下、ガスシリンダ２１の一端部であるピストンロッド２１２側の先端部を、ガスシリンダ２１の下端部と称して説明する。
【００３３】
ガスシリンダ２１の他端部であるシリンダ２１１側の先端部は、床板側リンク部材２６の辺部２６２に回転可能に設けられている。このとき、ガスシリンダ２１のシリンダ２１１側の先端部は、床板側リンク部材２６において後部連結用リンク部材２７２の上端部の設けられている位置よりも後方に位置している。以下、ガスシリンダ２１の他端部であるシリンダ２１１側の先端部を、ガスシリンダ２１の上端部と称して説明する。
ガスシリンダ２１は、図５に示すように、長手方向に最も伸びているときに上端部が下端部よりも前方上方に位置して、下端部を中心に前上がりに約６０°に傾いた構成となる。
【００３４】
ガスシリンダ２１の長手方向に圧縮する力が加わる場合、ピストンロッド２１２がシリンダ２１１内に収容され、ガスシリンダ２１の長手方向の寸法は短くなる。このとき、ガスシリンダ２１は、上端部が下方向に移動するように、下端部を中心にして前方に回転する。これにより、床板側リンク部材２６も下方向に移動する。そして、ガスシリンダ２１が最も縮んだときに、シリンダ２１１の上端部がピストンロッド２１２の下端部のほぼ前方に位置した状態となり、リンク機構部材２０が折り畳まれた状態となる。
【００３５】
一方、ガスシリンダ２１の長手方向に圧縮する力が加わらない場合、ピストンロッド２１２がシリンダ２１１から突出することによりガスシリンダ２１は伸びていき、ガスシリンダ２１の長手方向の寸法は大きくなる。このとき、ガスシリンダ２１は、上端部が上方向に移動するように、床板側リンク部材２６および床板１５を上方向に押しながら、下端部を中心に後方に回転する。そして、ガスシリンダ２１が最も伸びたときに、シリンダ２１１の上端部がピストンロッド２１２の下端部の前方上方に位置した状態となり、リンク機構部材２０が展開された状態となる。
【００３６】
基体１４内には、図１および図３に示すように、１対の仕切り部材３２，３２が設けられている。仕切り部材３２は、基体１４の左右両側にそれぞれ設けられおり、前後壁３２１と、左右壁３２２とを有している。
前後壁３２１は、底板１９上に設けられ、前後方向に延びている側壁である。前後壁３２１の前端部は、ヘッドボード１６の後端面まで延びている。前後壁３２１の後端部は、ガスシリンダ２１がサイドボード１８に設けられている位置よりも後方に位置している。基体１４のうち左側に位置する仕切り部材３２の前後壁３２１は、基体１４の左寄りであって当該基体１４の左側のリンク機構部材２０の右方に位置している。また、基体１４のうち右側に位置する仕切り部材３２の前後壁３２１は、基体１４の右寄りであって当該基体１４の右側のリンク機構部材２０の左方に位置している。
【００３７】
左右壁３２２は、床板１５上に設けられ、左右方向に延びている側壁である。基体１４の左側に位置する仕切り部材３２の左右壁３２２は、左端部がレフトボード１８１に固定され、右端部が基体１４の左側に位置する前後壁３２１の後端部に固定されている。また、基体１４の右側に位置する仕切り部材３２の左右壁３２２は、右端部がライトボード１８２に固定され、左端部が基体１４の右側に位置する前後壁３２１の後端部に固定されている。これにより、基体１４の左側に位置するリンク機構部材２０は、ヘッドボード１６、レフトボード１８１および基体１４の左側に位置する仕切り部材３２によって囲われた構成となっている。また、基体１４の右側に位置するリンク機構部材２０は、ヘッドボード１６、ライトボード１８２および基体１４の右側に位置する仕切り部材３２によって囲われた構成となっている。この構成により、基体１４内のうち、後部の領域全体、および前部の領域のうち仕切り部３２，３２で囲われていない中央の領域に物を収納することが可能となる。
【００３８】
基体１４のフットボード１７の前後方向の側面のうち外側の側面の中央部の上端部には、図１〜図５に示すように、鍵部３３が設けられている。鍵部３３は、つまみ部３３１と、フック部３３２とを有している。つまみ部３３１は、手でつまむことができるブロック状の突起部分を有している。この突起部分は、後方に突出しており、９０°の範囲で回転可能な構成となっている。フック部３３２は、基端部がつまみ部３３１の回転部分と連結し、先端部がフック状をなすものであり、つまみ部３３１と一緒に回転する構成となっている。この構成によれば、例えば、水平方向に指向しているつまみ部３３１を時計回り方向に９０°回転させることにより、水平方向に指向していたフック部３３２も、つまみ部３３１と一体に回転し、図４に示すように上方向に指向して、フック状の部分がフットボード１７の上端面よりも上方に突出する構成となっている。
【００３９】
床板１５の後端部、この場合後部分割床板１５２の後部の中央部の下端面には、係合孔３４が形成されている。係合孔３４には、フック部３３２のフック状の部分がフットボード１７の上端面から突出したときに、当該フック部３３２のフック状の部分が引っ掛かる構成となっている。
【００４０】
次に、基体１４に床板１５を取付ける手順について図１、図３〜図６を参照して説明する。
まず、図１に示す前部底板１９２、左右連結底板１９１および後部底板１９３を、この順で前から配置し、底板１９を構成する。そして、底板１９の前端部にヘッドボード１６を配置し、底板１９の左側にレフトボード１８１を配置し、底板１９の右側にライトボード１８２を配置し、底板１９の後端部にフットボード１７を配置し、図示しないねじによってこれらを互いに固定する。
次に、基体側リンク部材２５、床板側リンク部材２６および連結用リンク部材２７が互いに連結されているリンク機構部材２０の基体側リンク部材２５を、レフトボード１８１およびライトボード１８２にそれぞれ図示しないねじによって固定する。
【００４１】
次に、図３〜図５に示すように、レフトボード１８１およびライトボード１８２に取付け金具３０を介してガスシリンダ２１の下端部を取付け、ガスシリンダ２１の上端部を床板側リンク部材２６にねじなどによって固定する。このとき、リンク機構部材２０の床板側リンク部材２６上には、まだマットレス１２が載置されていないので、ガスシリンダ２１には圧縮の力がほとんど加わらない。よって、ガスシリンダ２１のピストンロッド２１２がシリンダ２１１から最も突出した状態すなわちガスシリンダ２１が最も伸びた状態となり、リンク機構部材２０は展開した状態となる。すなわち、ガスシリンダ２１が最も伸びた状態であるとき、リンク機構部材２０の床板側リンク部材２６は、後端部が前端部よりも上側に位置した状態となる。
【００４２】
次に、底板１９上の所定の位置に、１対の仕切り部材３２，３２を図示しないねじなどによって固定する。なお、この底板１９に仕切り部材３２を固定する工程は、リンク機構部材２０上に床板１５を固定した後に行ってもよい。
次に、図６（ａ）に示すように、床板１５のうち前部分割床板１５１をリンク機構部材２０の床板側リンク部材２６の所定の位置である前部に配置する。このとき、前部分割床板１５１の前端面を床板側リンク部材２６のストッパ部２８に当てて配置することにより、床板側リンク部材２６に対する前部分割床板１５１の前後方向の位置が容易に決まる。なお、ガスシリンダ２１は、分割床板１５１，１５２の重量によってはほとんど圧縮されない構成である。
【００４３】
次に、図６（ｂ）に示すように、複数個この場合４対のねじ２９によって前部分割床板１５１を床板側リンク部材２６の所定の位置に固定する。なお、図６（ｂ）では、４対のねじ２９のうち左側のねじ２９のみを図示する。
さらに、図６（ｂ）に示すように、前部分割床板１５１の位置決め穴２２のそれぞれに、位置決め部材２４の前部をそれぞれ嵌合させる。これにより、図６（ｃ）に示すように、位置決め部材２４の後部は、前部分割床板１５１の後端面から後方に突出した構成となる。
【００４４】
次に、図６（ｃ）に示すように、後部分割床板１５２を床板側リンク部材２６上に載せ、後部分割床板１５２の前端部の位置決め穴２３と、前部分割床板１５１の後端面から後方へ突出している位置決め部材２４の後部とを嵌合させる。これにより、後部分割床板１５２は、図６（ｄ）に示すように、前部分割床板１５１に対して所定の連結位置に設けられた構成となる。そして、複数個この場合３対のねじ２９によって後部分割床板１５２を床板側リンク部材２６の所定の位置に固定する。なお、図６（ｄ）では、３対のねじ２９のうち左側のねじ２９のみを図示する。
【００４５】
これにより、前部分割床板１５１と後部分割床板１５２とは、床板側リンク部材２６に固定されて一体となり、見かけ上１枚の床板１５が形成される。そして、床板１５の上面にマットレス１２を載置することにより、ガスシリンダ２１は、マットレス１２の重量によって、ガスシリンダ２１の上方向に押す力に抗して圧縮される。すなわち、ピストンロッド２１２はシリンダ２１１内に収容され、ガスシリンダ２１の長手方向の寸法は短くなる。そして、ガスシリンダ２１が下端部を中心に前方に回転し、床板側リンク部材２６が基体側リンク部材２５に接近して、リンク機構部材２０が折り畳まれた状態となる。これによって、床板１５の後端部および床板側リンク部材２６の後端部は、床板１５の前端部および床板側リンク部材２６の前端部と同じ高さの位置となり、床板１５の上面に位置する。したがって、床板１５の上面にマットレス１２が載置されているときは、収納室１３は閉じた状態となる。
【００４６】
一方、マットレス１２が床板１５の上面から取除かれている場合などのガスシリンダ２１の長手方向に圧縮する力が加わっていない場合、ピストンロッド２１２がシリンダ２１１から突出して、ガスシリンダ２１の長手方向の寸法は長くなる。そして、ガスシリンダ２１が下端部を中心に後方に回転し、床板側リンク部材２６が基体側リンク部材２５から離れることにより、リンク機構部材２０が展開した状態となる。すなわち、床板１５の後端部および床板側リンク部材２６の後端部は、ガスシリンダ２１が最も伸びるまで上方向に回転・移動すなわち上昇する。これにより、収納室１３は十分に開いた状態となり、当該収納室１３への物の出し入れが可能となる。
【００４７】
なお、リンク機構部材２０が折り畳まれている状態において、水平方向に指向しているつまみ部３３１を時計回り方向に９０°回転させることにより、水平方向に指向していたフック部３３２も、つまみ部３３１と一体に回転し、図４に示すように上方向に指向して、フック状の部分が、係合孔３４にフック部３３２のフック状の部分を引っ掛かった状態となる。これにより、床板１５は基体１４の上面に保持され、床板１５上にマットレス１２が載置されていなくても、リンク機構部材２０は折り畳まれた状態で維持される。また、この状態において、つまみ部３３１を反時計回りに９０°回転させることにより、フック部３３２の係合孔３４への引っ掛かりは解除される。これにより、床板１５上にマットレス１２が載置されていない場合、リンク機構部材２０は展開した状態となる。
【００４８】
次に、上記構成のベッド装置１１の効果を奏する。
床板１５が複数枚の分割床板、この実施形態では前部分割床板１５１および後部分割床板１５２から形成されているため、床板１５の運搬やリンク機構部材２０への取り付けが容易となる。そして、床板側リンク部材２６が床板１５の前後方向に並べられている前部分割床板１５１および後部分割床板１５２にわたって延びており、且つ、前部分割床板１５１および後部分割床板１５２のそれぞれが床板側リンク部材２６に固定されているので、前部分割床板１５１および後部分割床板１５２同士は、床板側リンク部材２６を介して強固に固定された構成となる。すなわち、リンク機構部材２０の床板側リンク部材２６を分割床板１５１，１５２のそれぞれの下面にわたって延びている構成にすることによって、新たに連結用の連結部品を用いずに、前部分割床板１５１および後部分割床板１５２同士を簡単な構成で強固に固定することができる。
【００４９】
前部分割床板１５１と後部分割床板１５２とを合わせる際に、前部分割床板１５１に位置決め穴２２を形成し、この位置決め穴２２に位置決め部材２４を嵌合させ、その位置決め部材２４に後部分割床板１５２の位置決め穴２３を嵌合させる構成であるため、位置決め穴２２，２３と位置決め部材２４とを合わせるだけで前部分割床板１５１に対して後部分割床板１５２を所定の連結位置に設けることができる。
【００５０】
前部分割床板１５１および後部分割床板１５２は、床板１５の前後方向に沿うとともに所定の間隔離れて配置されているねじ２９によって床板側リンク部材２６に固定されているので、前部分割床板１５１および後部分割床板１５２を床板側リンク部材２６に強固に固定することができる。
収納室１３内に仕切り部材３２を設けた構成としたので、収納室１３に収納されている物がリンク機構部材２０に挟まることを防止できる。
【００５１】
なお、本発明は上記し且つ図面に示す実施形態に限定されず、適宜、変形、拡張が可能である。
床板を、３枚以上の分割床板から形成し、当該３枚以上の分割床板を床板の前後方向に並べることにより形成する構成としてもよい。この構成においては、すべての分割床板がリンク機構部材の床板側リンク部材に固定されている構成となる。
リンク機構部材の構成は、一例に過ぎない。リンク機構部材は、基体と床板とに連結して設けられ、床板の後端部の高さを基体の上面の位置から所定の高さの位置まで変更可能にするものであり、且つ、リンク機構部材の一部に本発明の床板側リンク部材と同様の構成を有しているものでもよい。
【００５２】
付勢部材は、ガススプリング以外として、例えば、ばね、ゴムなどの弾性材料を適宜、組み合わせたものでもよい。
ヘッドボード、フットボード、サイドボード、仕切り部材の連結においては、ダボ穴およびダボ栓を用いて位置決めをする構成としてもよい。
本発明のベッド装置は、シングルベッド、ダブルベッドなど、大きさに関係なく適用することができる。すなわち、複数枚の分割床板が床板の前後方向に並べられることにより当該床板が形成されているベッド装置に、本発明を適用することができる。
ヘッドボードの高さ寸法は、フットボード、サイドボードの高さ寸法と同じであってもよい。
また、上記した実施形態は一例に過ぎず、部品の材料、形状、寸法、角度、数量など適宜変更してなし得る。
【符号の説明】
【００５３】
図面中、１１はベッド装置、１２はマットレス、１４は基体、１５は床板、１５１は前部分割床板（分割床板）、１５２は後部分割床板（分割床板）、２０はリンク機構部材、２１はガスシリンダ（付勢部材）、２２，２３は位置決め穴、２４は位置決め部材、２５は基体側リンク部材、２６は床板側リンク部材、２７は連結用リンク部材、２９はねじを示す。
【図１】
0005778454.tif 000002
【図２】
0005778454.tif 000003
【図３】
0005778454.tif 000004
【図４】
0005778454.tif 000005
【図５】
0005778454.tif 000006
【図６】
0005778454.tif 000007